(57)【特許請求の範囲】
【請求項１】
上部に釣り針状のフックを有する、プラスチック製の吊下げ具において、該フックの立ち上がり部分に、ヒンジ部が設けられ、ヒンジ部から下方向に、縦溝状の切欠きを設けて、さらに該縦溝状の切欠きの下端から外面方向に、該ヒンジ部を中心にした円弧状の、嵌合鋸歯状の切欠きが設けられ、フックの直立部分の上部に、バネが設けられ、
縦溝状の切欠きの下部を開くことが可能で、該開きに応じて該ヒンジ部の薄肉部分が屈曲することで該縦状溝の切欠きと該嵌合鋸歯状の切欠きが移動嵌合可能であることを特徴とする吊下げ具。
【請求項２】
請求項１に記載の吊り下げ具を有する吊り下げ容器。
【発明の詳細な説明】
【０００１】
【発明の属する技術分野】
本発明は、上部に釣り針状のフック１０を有する、防虫剤、芳香剤、除湿剤などの吊下げ容器や、洋服、洗濯物などのハンガーや、各種の吊下げバサミなどの、プラスチック製の各種形状の吊下げ具２０において、水平方向の吊下げポール３０などに、この吊下げ具２０を安定した状態で吊下げることができる吊下げ具のフック構造に関する。
【０００２】
【従来の技術】
従来から、上部に釣り針状のフックを有する、防虫剤、芳香剤、除湿剤などの吊下げ容器や、洋服、洗濯物などのハンガーや、各種の吊下げバサミなどの、図示していないプラスチック製の各種形状の吊下げ具が、洋服ダンス、クローゼットの中や洗濯物干し場や店頭、展示場などで、水平方向の吊下げポールなどに、このフックを引っ掛けるだけで、簡単に吊下げることができる便利な吊下げ具として、一般に広く用いられている。
【０００３】
【発明が解決しようとする課題】
ところが従来の、上部に釣り針状のフックを有する、前述した図示していないプラスチック製の各種形状の吊下げ具については、水平方向の吊下げポールなどに、単にフックを引っ掛けただけであるために、前後左右に動き易く外れ易くて、洋服ダンスやクローゼットの中などで、出し入れのたびに動いたり外れて落ちたりして、また洗濯物干し場などで、風に吹かれて落ちて汚れたりして、さらに店頭、展示場などで、顧客が接触して展示効果を損なったりして、吊下げた状態が安定しないことが問題であった。
【０００４】
ところで、本発明の目的は、上部に釣り針状のフック１０を有する、防虫剤、芳香剤、除湿剤などの吊下げ容器や、洋服、洗濯物などのハンガーや、各種の吊下げバサミなどの、プラスチック製の各種形状の吊下げ具２０において、水平方向の吊下げポール３０などに、このフック１０を引っ掛けて、フック１０の直立部分の上部を内面側に押すだけで、簡単にフック１０の直立部分を丁度良い位置まで屈曲させて、締付けた状態で、この吊下げポール３０などにフック１０を固定することによって、この吊下げ具２０を安定した状態で吊下げることができる吊下げ具のフック構造を提供することにある。
【０００５】
【課題を解決するための手段】
請求項１に係る本発明は、上部に釣り針状のフックを有する、プラスチック製の吊下げ具において、該フックの立ち上がり部分に、ヒンジ部が設けられ、ヒンジ部から下方向に、縦溝状の切欠きを設けて、さらに該縦溝状の切欠きの下端から外面方向に、該ヒンジ部を中心にした円弧状の、嵌合鋸歯状の切欠きが設けられ、フックの直立部分の上部に、バネが設けられ、
縦溝状の切欠きの下部を開くことが可能で、該開きに応じて該ヒンジ部の薄肉部分が屈曲することで該縦状溝の切欠きと該嵌合鋸歯状の切欠きが移動嵌合可能であることを特徴とする吊下げ具である。
請求項２に係る本発明は、請求項１に記載の吊り下げ具を有する吊り下げ容器である。
【０００６】
【発明の実施の形態】
本発明の吊下げ具のフック構造については、後述する実施例に示すように、前述した従来の、上部に釣り針状のフックを有する、防虫剤、芳香剤、除湿剤などの吊下げ容器や、洋服、洗濯物などのハンガーや、各種の吊下げバサミなどの、図示していないプラスチック製の各種形状の吊下げ具の、金型を修正するだけで、適宜のプラスチック樹脂(好ましくはポリプロピレン樹脂)を用いて、通常の射出成形方法で、従来と同様の工程と費用とで廉価に作製することができる。
【０００７】
【実施例】
本発明の実施例における、図１Ａは、水平方向の吊下げポール３０に、フック１０を引っ掛けた状態を示す吊下げ具のフック構造の側面図であって、また図１Ｂ,Ｃは、この吊下げポール３０にフック１０を引っ掛けて、締付けて固定した状態を示す吊下げ具のフック構造の側面図、正面図である。
【０００８】
本実施例の吊下げ具のフック構造は、上部に釣り針状のフック１０を有する、プラスチック製の各種形状の吊下げ具２０において、フック１０の立ち上がり部分に、ヒンジ部１１を設けている。
そしてヒンジ部１１から下方向に、縦溝状の切欠き１２を設けて、さらに縦溝状の切欠き１２の下端から外面方向に、ヒンジ部１１を中心にした円弧状の、嵌合鋸歯状の切欠き１３を設けて、加えてフック１０の直立部分の上部に、Ｖ字状などの屈曲バネ１７を設けた吊下げ具のフック構造である。
【０００９】
本実施例の、上部に釣り針状のフック１０を有する、プラスチック製の各種形状の吊下げ具２０については、上部に釣り針状のフック１０を有する、洋服ダンスやクローゼットの中などで吊下げて用いる、防虫剤や芳香剤などを収容する、従来と同様のプラスチック製の吊下げ容器２０であって、通常のポリプロピレン樹脂を用いて、通常の射出成形方法で作製した、縦、横、高さが９３×８×７２ｍｍの、左右の側面に多数の図示していない通気孔を設けた吊下げ容器２０である。
【００１０】
本実施例の、ヒンジ部１１から下方向に設けた、縦溝状の切欠き１２については、後述する縦溝状の切欠き１２の下部が開き易いように、上部に直径が１〜３ｍｍの孔を設けた、長さ、隙間が１０×１ｍｍ程度の適宜の縦溝状の切欠き１２を、従来の防虫剤や芳香剤などのプラスチック製の吊下げ容器２０の、フック１０部分の金型を修正して設けることができる。
【００１１】
本実施例の、縦溝状の切欠き１２の下端から外面方向に設けた、ヒンジ部１１を中心にした円弧状の、嵌合鋸歯状の切欠き１３については、後述する嵌合鋸歯状の切欠き１３の上の部分が外面方向に移動し易く、丁度良い位置で鋸歯が嵌合して固定されるように、縦溝状の切欠き１２の下端から外面方向に、ヒンジ部１１を中心にした円弧状の、円弧長さ、隙間が１３×１ｍｍ程度で嵌合鋸歯の高さが１〜２ｍｍの、それぞれ上下に歯数が３〜５枚の適宜の嵌合鋸歯状の切欠き１３を、同様に従来の金型を修正して設けることができる。
【００１２】
なお、本実施例の嵌合鋸歯の形状については、後述するように、丁度良い位置で鋸歯が嵌合して固定されたまま、嵌合鋸歯状の切欠き１３の上の部分を戻さないで、固定したフック１０を外すことができるために、嵌合鋸歯状の切欠き１３の上の部分が、外面方向に移動し易く戻り難いような左右が非対称形の３枚の嵌合鋸歯を、それぞれ上下に設けたが、嵌合鋸歯状の切欠き１３の上の部分が、外面方向、内面方向に可逆的に移動可能な左右が対称形の３〜５枚の嵌合鋸歯を、それぞれ上下に設けることもできる。
【００１３】
本実施例の、フック１０の直立部分の上部に設けた、Ｖ字状(図１Ａ,Ｂでは逆Ｖ字状)などの屈曲バネ１７については、後述するフック１０の直立部分の上部に弾力性があるように、フック１０の直立部分の上部に、Ｖ字状、Ｕ字状などの適宜の屈曲バネ１７を、同様に従来の金型を修正して設けることができる。
【００１４】
本実施例の吊下げ具のフック構造においては、図１Ａに示すように、(図１Ａ,Ｂでは前後に)水平方向の吊下げポール３０に、このフック１０を引っ掛けて、そのままの状態(開放位置)で、前述した従来の、上部に釣り針状のフック１０を有する、防虫剤や芳香剤などのプラスチック製の吊下げ容器２０と同様に、洋服ダンスやクローゼットの中などで吊下げて用いることもできる。
【００１５】
また、本実施例の吊下げ具のフック構造においては、図１Ａに示す水平方向の吊下げポール３０にフック１０を引っ掛けた状態で、フック１０の直立部分の上部を内面側に押すだけで、図１Ｂに示すように、フック１０の直立部分の嵌合鋸歯状の切欠き１３の上の部分が、"カチカチ"と外面方向に移動して、縦溝状の切欠き１２の下部が開いて、ヒンジ部１１の薄肉部分が屈曲して、吊下げポール３０の直径に合せて、丁度良い位置で鋸歯が嵌合して固定されるために、簡単にフック１０の直立部分を丁度良い位置まで屈曲させて、締付けた状態(固定位置)で、この吊下げポール３０にフック１０を固定することができる。
【００１６】
すなわち、本実施例の吊下げ具のフック構造においては、上部に釣り針状のフック１０を有する、洋服ダンスやクローゼットの中などで吊下げて用いる、防虫剤や芳香剤などのプラスチック製の吊下げ容器２０において、前述した図１Ａ,Ｂに示すように、水平方向の吊下げポール３０に、このフック１０を引っ掛けて、フック１０の直立部分の上部を内面側に押すだけで、簡単にフック１０の直立部分を丁度良い位置まで屈曲させて、締付けた状態で、この吊下げポール３０にフック１０を固定することによって、洋服ダンスやクローゼットの中などで、出し入れのたびに動いたり外れて落ちたりしないように、この吊下げ容器２０を安定した状態で吊下げることができる吊下げ具のフック構造を提供することができる。
【００１７】
しかも、本実施例の吊下げ具のフック構造においては、フック１０の直立部分の上部(の屈曲バネ１７)に弾力性があるために、フック１０の直立部分を丁度良い位置まで屈曲させて、締付けて固定した状態のまま(丁度良い位置で鋸歯が嵌合して固定されたまま、嵌合鋸歯状の切欠き１３の上の部分を戻さない)で、フック１０の直立部分の上部の釣り針状の部分を軽く押上げ(解放位置)て、固定したフック１０を、この吊下げポール３０から外すことができる。
【００１８】
しかもまた、本実施例の吊下げ具のフック構造においては、フック１０の立ち上がり部分の上部に弾力性があるために、予めフック１０の直立部分を丁度良い位置まで屈曲させた状態のまま(丁度良い位置で鋸歯が嵌合して固定されたまま)で、フック１０の直立部分の上部の釣り針状の部分を軽く押上げて、水平方向の吊下げポール３０に、このフック１０を引っ掛けて、締付けた状態で、この吊下げポール３０にフック１０を固定することができる。
【００１９】
さらに、本実施例の吊下げ具のフック構造においては、上部に釣り針状のフック１０を有する、防虫剤や芳香剤などのプラスチック製の吊下げ容器２０を、前述した図１Ｂに示す締付けて固定した状態で、図２に示すように、前後に(図２では左右に)１８０度回転して、洋服ダンスやクローゼットの中などで、取替えの時期を失することなどがないように、目立つように上部に突出させて用いることもできる。
【００２０】
加えて、本実施例の吊下げ具のフック構造においては、上部に釣り針状のフック１０を有する、防虫剤や芳香剤などのプラスチック製の吊下げ容器２０に、図３に示すように、フック１０の直立部分の下部に、水平方向の薄肉ヒンジ１８を設けて、また吊下げ容器２０の側面の１８０度折倒したフック１０の位置に、フック１０の倒立収容凹部１９を設けたことによって、輸送時や保管時などには、吊下げ容器２０の側面の倒立収容凹部１９に、このフック１０を、フック１０の直立部分の下部の薄肉ヒンジ１８を介して１８０度折倒して、はみ出さないように収容することができる。
【００２１】
【発明の効果】
以上、実施例に示すとおり、本発明の吊下げ具のフック構造においては、上部に釣り針状のフック１０を有する、防虫剤、芳香剤、除湿剤などの吊下げ容器や、洋服、洗濯物などのハンガーや、各種の吊下げバサミなどの、プラスチック製の各種形状の吊下げ具２０において、水平方向の吊下げポール３０などに、このフック１０を引っ掛けて、フック１０の直立部分の上部を内面側に押すだけで、簡単にフック１０の直立部分を丁度良い位置まで屈曲させて、締付けた状態で、この吊下げポール３０などにフック１０を固定することによって、洋服ダンスやクローゼットの中などで、出し入れのたびに動いたり外れて落ちたりしないように、また洗濯物干し場などで、風に吹かれて落ちて汚れたりしないように、さらに店頭、展示場などで、顧客が接触して展示効果を損なったりしないように、この吊下げ具２０を安定した状態で吊下げることができる吊下げ具のフック構造を提供することができる。
【図面の簡単な説明】
【図１】本発明の実施例における、図１Ａは、水平方向の吊下げポール３０に、フック１０を引っ掛けた状態を示す吊下げ具のフック構造の側面図であって、また図１Ｂ,Ｃは、この吊下げポール３０にフック１０を引っ掛けて、締付けて固定した状態を示す吊下げ具のフック構造の側面図、正面図である。
【図２】実施例の吊下げ具のフック構造における、図１Ｂに示す締付けて固定した吊下げ容器２０を、前後に１８０度回転した状態を示す側面図である。
【図３】実施例の吊下げ具のフック構造における、水平方向の薄肉ヒンジ１８とフック１０の倒立収容凹部１９とを設けた状態を示す側面図である。
【符号の説明】
１０  …フック
１１  …ヒンジ部
１２  …縦溝状の切欠き
１３  …嵌合鋸歯状の切欠き
１７  …屈曲バネ
１８  …薄肉ヒンジ
１９  …倒立収容凹部
２０  …吊下げ具、吊下げ容器
３０  …吊下げポール
【図１】
0004660878.tif 000002
【図２】
0004660878.tif 000003
【図３】
0004660878.tif 000004